(57)【特許請求の範囲】
【請求項１】
袋体の開口部の内側面相互に接着する一対の接着帯部と各接着帯部の内側面に設けられた嵌合部とを備え、袋体の開口部を閉じるように構成された開封防止用チャックにおいて、
一方の接着帯部が袋体の内側面に接着される際に、嵌合部の位置より下方にずれた位置で接着される下部接着面を備えると共に、他方の接着帯部の接着位置が嵌合部の位置と同じ位置で接着される上部接着面を備え、接着帯部の上端部及び嵌合部の上端部の高さが揃えられると共に、各上端部に指先が掛からないような丸みを有するスリップ曲面が形成され、
下部接着面上方の嵌合部の位置と同じ位置で、且つ、接着帯部の長手端部近傍に、限られた一箇所のみから嵌合部がピンポイントで開封される開封用接着点を備えたことを特徴とする開封防止用チャック。
【請求項２】
前記接着帯部の上下幅は、前記嵌合部全体の上下幅よりも広く形成されると共に、前記接着帯部の上端部に近接する位置に前記嵌合部が設けられ、前記接着帯部と前記嵌合部との各上端部に前記スリップ曲面が形成された請求項１記載の開封防止用チャック。
【発明の詳細な説明】
【技術分野】
【０００１】
本発明は、チャックを一度封印すると、その後はチャックを開けることができなくなる開封防止用チャックに関する。
【背景技術】
【０００２】
不正開封を防止するように構成されたチャックの構造が特許文献１、２に記載されている。これらのチャックは、袋のチャック付の開口部を開けようとしても、それだけではチャックを開けることが困難になるように構成したものである。
【０００３】
すなわち、袋の開口部を開いたときに、この袋を開く力がチャックの開封作用に及ばないように設けたもので、具体的には、チャックを構成する一対の接着帯部を袋の内側面に夫々接着する際に、チャックの嵌合部よりも上下の位置にずらして接着することで、チャックの嵌合部を開き難くしている。
【０００４】
特許文献１のチャックは、一方の接着帯部を袋の内側面に接着する際に、チャックの嵌合部より上方向にずらして接着帯部を接着したもので、ずらして接着した接着帯部側の嵌合部分は袋の内側面から離れた状態になる。
【０００５】
特許文献２のチャックは、両方の接着帯部を袋の内側面にそれぞれ接着する際に、チャックの嵌合部よりも上下方向にずらして接着したものである。この場合、両方の接着帯部の嵌合部分は袋の内側面から離れた状態になる。
【０００６】
いずれのチャックも、袋の開口部を開いたときに、チャックの嵌合部分に力が直接及ばないようにすることで、チャックの開封を困難にしたものである。
【先行技術文献】
【特許文献】
【０００７】
【特許文献１】仏国特許出願公開第２６２８０６７号公報
【特許文献２】特開２０１２-４１０８９号公報
【発明の開示】
【発明が解決しようとする課題】
【０００８】
これら不正開封防止用に構成された従来のチャックは、いずれも袋の開口部を開く力に対して強固な封緘力を発揮することは可能でも、直接チャックを開封しようとする力にまで封緘力を発揮することはできない構成になっていた。
【０００９】
すなわち、いずれのチャックも、チャックの嵌合部から離れた位置で接着帯部を接着する構成のため、接着帯部の接着部分を肉厚に形成してチャックの強度を高める必要がある。そのため、チャックの嵌合部分よりも上の位置で接着されている接着帯部は、指先を直接係止するのに好適な構造になっている。この結果、この肉厚の接着帯部に指先を掛けた状態で強制的にチャックを開こうとすると、極めて容易にチャックを開封することができる。しかも、この肉厚の接着帯部は、必ず嵌合部分よりも上の位置に接着されているので、指先による操作は容易に行える状態にある。
【００１０】
したがって、従来の不正開封防止用のチャックは、袋の開口部分を開く力に対して効果を発揮できるとしても、指先で直接チャックを開こうとする操作に対してチャックの開封を防止することは困難であった。
【００１１】
そこで本発明は、上述の課題を解消すべく創出されたもので、指先で直接チャックを開こうとする操作に対してチャックの開封を防止することができ、チャックを一度嵌合すると、その後はチャックを開けることができなくなる開封防止用チャックの提供を目的とするものである。
【課題を解決するための手段】
【００１２】
本発明の第１の手段は、袋体Ｐの開口部Ｐ１の内側面相互に接着する一対の接着帯部１と各接着帯部１の内側面に設けられた嵌合部２とを備え、袋体Ｐの開口部Ｐ１を閉じるように構成された開封防止用チャックにおいて、
一方の接着帯部１が袋体Ｐの内側面に接着される際に、嵌合部２の位置より下方にずれた位置で接着される下部接着面３を備えると共に、他方の接着帯部１の接着位置が嵌合部２の位置と同じ位置で接着される上部接着面４を備え、接着帯部１の上端部及び嵌合部２の上端部の高さが揃えられると共に、各上端部に指先が掛からないような丸みを有するスリップ曲面５が形成され、下部接着面３上方の嵌合部２の位置と同じ位置で、且つ、接着帯部１の長手端部近傍に、限られた一箇所のみから嵌合部がピンポイントで開封される開封用接着点６を備えたものである。
【００１３】
第２の手段において、前記接着帯部１の上下幅は、前記嵌合部２全体の上下幅よりも広く形成されると共に、前記接着帯部１の上端部に近接する位置に前記嵌合部２が設けられ、前記接着帯部１と前記嵌合部２との各上端部に前記スリップ曲面５が形成されている。
【発明の効果】
【００１５】
本発明の請求項１のごとく、一方の接着帯部１が袋体Ｐの内側面に接着される際に、嵌合部２の位置より下方にずれた位置で接着される下部接着面３と、他方の接着帯部１の接着位置が嵌合部２の位置と同じ位置で接着される上部接着面４とを備えたことで、袋体Ｐの開口部Ｐ１を開く力は、チャックの嵌合部２を開くように作用しないので、袋の開口部を開く力に対する不正開封防止用のチャックとして強固な封緘力を発揮する。
また、下部接着面３上方の嵌合部２の位置と同じ位置で、且つ、接着帯部１の長手端部近傍に、限られた一箇所のみから嵌合部がピンポイントで開封される開封用接着点６を備えているので、誤って嵌合部２を嵌合してしまった場合でも、この開封用接着点６の位置を知っていれば、袋体Ｐを破らずに開口部Ｐ１を再開封することができるようになる。しかも、この開封用接着点６は、ピンポイントで設けられているので、消費者に知られないように設けることが可能である。
【００１６】
しかも、接着帯部１の上端部及び嵌合部２の上端部の高さを揃えると共に、各上端部に丸みを付けて指先が掛からないようにしたスリップ曲面５を形成したことにより、指先で直接チャックを開こうとする操作に対してチャックの開封を防止することができる。したがって、チャックを一度嵌合すると、その後はチャックを開けることはできなくなる。
【００１７】
この結果、袋体Ｐに品物を収納した後は、例えばヒートシーラー等の封緘装置が無くても袋体Ｐの開口部Ｐ１を封緘することができ、収納された品物は、ヒートシールされた袋体Ｐのごとく、袋体Ｐの一部を破らなければ取り出すことができない状態にすることができる。
【００１８】
請求項２のように、接着帯部１の上下幅は、嵌合部２全体の上下幅よりも広く形成されると共に、接着帯部１の上端部に近接する位置に嵌合部２が設けられ、接着帯部１と嵌合部２との各上端部にスリップ曲面５を形成したことで、袋の開口部を開く力に対して強固な封緘力を発揮すると共に、指先で直接チャックを開こうとする操作に対してチャックの開封を確実に防止することができる。
【００２０】
このように本発明によると、指先で直接チャックを開こうとする操作に対してチャックの開封を防止することができ、チャックを一度嵌合すると、その後はチャックを開けることができなくなるといった当初の目的を達成することができる。
【図面の簡単な説明】
【００２１】
【図１】本発明の一実施例を示す側面図である。
【図２】本発明の使用状態を示す斜視図である。
【図３】本発明の使用状態を示す側断面図である。
【図４】本発明の他の実施例を示す側面図である。
【図５】本発明の他の実施例を示す側面図である。
【図６】本発明の開封用接着点を示す側断面図である。
【図７】本発明の開封用接着点を示す正面図である。
【図８】嵌合防止シールを使用した状態を示す正面図である。
【発明を実施するための形態】
【００２２】
本発明チャックは、合成樹脂材にて形成されるもので接着帯部１と嵌合部２とを備えたチャックである。すなわち、接着帯部１は、袋体Ｐの開口部Ｐ１の内側面相互に接着する一対の帯状部材である（図１参照）。更に、嵌合部２は、各接着帯部１の内側面に設けられた嵌合部材であり、嵌合部２を相互に嵌合すると、袋体Ｐの開口部Ｐ１が閉じられるように構成されている（図２参照）。
【００２３】
図示例では、接着帯部１の上下幅を、嵌合部２全体の上下幅よりも２倍程度広く形成している。そして、接着帯部１の上端部に近接する位置に嵌合部２を設けている（図１参照）。また、図示の接着帯部１は、嵌合部２と一体形成しているが、これらを別体に形成した後に一体化することも可能である。
【００２４】
更に図示例の嵌合部２は、矢印状に一対の返し２Ａａを設けた凸部２Ａと、開口部に係止部２Ｂａが形成された凹部２Ｂとで構成している（図１参照）。この凸部２Ａの数は任意に変更できるもので、図示例の如く２個の凸部２Ａや、１個の凸部２Ａなどを選択できる（図４参照）。更に、多数の凸部２Ａを設けても良い（図示せず）。
【００２５】
また、凸部２Ａや凹部２Ｂの形状も任意に変更可能であり、凸部２Ａの返し２Ａａを片側に設けた凸部２Ａなどを選択することもできる（図５参照）。図示例では、上下一対の凸部２Ａを設け、下側に位置する凸部２Ａの返しを下側のみに形成したもので、特に、袋体Ｐの内側から開こうとする力に強く対する形状になっている。
【００２６】
そして、これら一対の接着帯部１を開口部Ｐ１の内側面に接着する際に、下部接着面３と上部接着面４とで接着する（図２参照）。
【００２７】
下部接着面３は、一方の接着帯部１を袋体Ｐの内側面に接着する際に、嵌合部２の位置より下方にずらして接着する接着面である（図２参照）。図示の下部接着面３は、嵌合部２全体の上下幅と略同じ上下幅に形成されている。このように嵌合部２の下の位置で接着帯部１を接着することにより、袋体Ｐの開口部Ｐ１を開いたときの力は、嵌合部２より下方に作用するので、嵌合部２を開くことができない状態になる（図３参照）。
【００２８】
上部接着面４は、他方の接着帯部１を袋体Ｐの内側面に接着する際に、嵌合部２の位置と同じ位置で接着する接着面である（図２参照）。この上部接着面４により、嵌合状態の嵌合部２は袋体Ｐの開口部Ｐ１に強固に固定されるものである。図示の上部接着面４は、嵌合部２全体の上下幅に合わせるように設けられている。
【００２９】
更に、接着帯部１の上端部及び嵌合部２の上端部の高さを揃えると共に、各上端部に丸みを付けて指先が掛からないようにしたスリップ曲面５を形成している（図１参照）。図示のスリップ曲面５は、接着帯部１の上端から嵌合部２上端にかけて形成したスリップ曲面５と、接着帯部１の上端部分のみに設けたスリップ曲面５とを分けて形成しているが、これらを一体化したスリップ曲面５を形成するなど、スリップ曲面５の形状や曲率等は任意に変更することができる。
【００３０】
このスリップ曲面５により、指先で直接チャックを開こうとする操作に対してチャックの開封を確実に防止することができる。そのため収納前に誤って嵌合部２を嵌合してしまうと袋体Ｐの中に収納できなくなる。そこで嵌合部２の間に予め嵌合防止シールＱを挟むことで嵌合部２の不用意な嵌合を防止することができる（図８参照）。
【００３１】
また、この嵌合防止シールＱを使用せずに、作業者のみが認知する開封用接着点６で嵌合部２を開放させることも可能である。この開封用接着点６は、一般消費者には気付かれないように、限られた一箇所のみから嵌合部２を開封できるように設けたものである（図７参照）。
【００３２】
この開封用接着点６は、下部接着面３上方の嵌合部２の位置と同じ位置で、且つ、前記接着帯部１の長手端部近傍にピンポイントで形成したものである（図６参照）。このような開封用接着点６は、見た目にも判別が困難で、袋体Ｐの開口部Ｐ１を中央付近から開いたときには作用しないが、開封用接着点６の正確な位置に合わせて開いたときに限り、開封用接着点６の作用で嵌合部２が開封する。すなわち、開封用接着点６を使用して嵌合部２を開封するには、上部接着面４と開封用接着点６とが相対向する位置で嵌合部２を平行に引き離す必要がある。そのため、開封用接着点６の位置を正確に引き離さないと嵌合部２は開封しないので、開封用接着点６を利用して嵌合部２を開封できるのは、開封用接着点６の位置を正確に知っている者に限られる。
【００３３】
尚、本発明チャックを装着する袋体Ｐは合成樹脂材とし、例えば、厚さ0.03〜0.1mmのポリプロピレンフィルムに厚さ0.015 mmのナイロンフィルムがラミネートされたフィルム材にて形成された袋体を使用する。また、このほかの材質として、OPPフィルムシート、CCPフィルム、PEフィルム、A-PETフィルム、PETフィルムシート、OPSフィルムなどの使用も可能である。
【００３４】
また、図示例の各構成は、本発明の一実施例に過ぎず、接着帯部１の上下幅の変更や嵌合部２の形状などは、本発明の要旨を変更しない範囲において自由に変更することができる。
【符号の説明】
【００３５】
Ｐ  袋体
Ｐ１  開口部
Ｑ  嵌合防止シール
１  接着帯部
２  嵌合部
２Ａ  凸部
２Ａａ  返し
２Ｂａ  係止部
２Ｂ  凹部
３  下部接着面
４  上部接着面
５  スリップ曲面
６  開封用接着点
【要約】
【課題】チャックを一度嵌合すると、その後はチャックを開けることができなくなる開封防止用チャックを提供する。
【解決手段】袋体Ｐの開口部Ｐ１の内側面相互に接着する一対の接着帯部１を設ける。各接着帯部１の内側面に設けられた嵌合部２を設ける。嵌合部２の位置より下方にずらして接着帯部１を接着する下部接着面３を設ける。嵌合部２の位置と同じ位置で接着帯部１を接着する上部接着面４を設ける。接着帯部１上端部及び嵌合部２の上端部に丸みを付けてスリップ曲面５を形成する。
【選択図】  図１【図１】
0005878257.tif 000002
【図２】
0005878257.tif 000003
【図３】
0005878257.tif 000004
【図４】
0005878257.tif 000005
【図５】
0005878257.tif 000006
【図６】
0005878257.tif 000007
【図７】
0005878257.tif 000008
【図８】
0005878257.tif 000009